(57)【特許請求の範囲】
【請求項１】
塗布液を内部に貯蔵する軸筒を備えた、筆記具、化粧具等のノック式塗布具におけるノック側の構造に於いて、ノック棒を保護する保護カバー、ノック棒、ノック棒を直線的な動作をさせるためのガイドで構成された後端ノック部が、保護カバーの中心内面方向に凸部を付けると共に、ノック棒天面に保護カバー凸部が嵌合可能な凹部を設け、保護カバーの内周面に凸部を設け、ガイド外周面に凹部を設け、保護カバーの内周面の凸部とガイド外周面の凹部とを嵌着後、ガイドの尾栓挿入側よりノック棒の天面側を挿入し、保護カバー凸部とノック棒凹部を嵌合させ、それにより保護カバー、ガイド及びノック棒の後端ノック部がそれぞれ嵌合固定されて一体になり、その一体になった後端ノック部をノック式塗布具の後端部に嵌合した尾栓に嵌合することを特徴とした、筆記具、化粧具等の後端部の構造。
【請求項２】
ノック棒を保護する保護カバー、ノック棒、ノック棒を直線的な動作をさせるためのガイドで構成された後端ノック部が一体的に嵌合され、後端ノック部と尾栓を嵌め合わせた際に、ノック棒内部に凸部を形成したノック棒押圧部と使用時にノック棒を押すことによりノック棒押圧部と接触する面を形成した尾栓凸部との間に隙間が形成された塗布具を、初めて使用して保護カバーを取り去った後は、ノック棒押圧部と尾栓凸部は接触可能となり、再度保護カバーを取付けても保護カバーとノック棒が再嵌合できない構造にしたことを特徴とする、請求項１に示した筆記具、化粧具等の後端部の構造。
【請求項３】
上記筆記具、化粧具等の後端部の構造において保護カバーの嵌合凸部形状を十字形、丸形、星形としたことを特徴とする、請求項２に示した筆記具、化粧具等の後端部の構造。
【発明の詳細な説明】
【０００１】
【産業上の利用分野】
本発明は、ノック式塗布具のノック側の構造にあって、後端部に止着される後端ノック部に関する。
【０００２】
【従来の技術】
後端ノック式塗布具においては、非使用時にノック棒を回転ロック機構により回転し、押し込み不能にして、内容液が吐出するのを防止している構造が知られている。
【０００３】
【発明が解決しようとする課題】
回転ロック機構は、保管中に振動、接触等によりロック機構が外れ、ノック棒が押され内容液が吐出してしまう場合がある。
組立には、ノック棒、スプリング、尾栓を組立て、それらがばらけないように慎重に実施しなければならない。部品が落ちたまま組み立てを行うと、塗布できない等という不良品を出してしまう問題が発生する。
【０００４】
そこで、ノック棒が押されるのをカバーする保護カバーを取り付けることを考案した。塗布液を内部に貯蔵する軸筒を備えた、筆記具、化粧具等のノック式塗布具におけるノック側の構造に於いて、ノック棒を保護する保護カバー、ノック棒、ノック棒を直線的な動作をさせるためのガイドで構成された後端ノック部が、保護カバーの中心内面方向に凸部を付けると共に、ノック棒天面に保護カバー凸部が嵌合可能な凹部を設け、保護カバーの内周面に凸部を設け、ガイド外周面に凹部を設け、保護カバーの内周面の凸部とガイド外周面の凹部とを嵌着後、ガイドの尾栓挿入側よりノック棒の天面側を挿入し、保護カバー凸部とノック棒凹部を嵌合させ、それにより保護カバー、ガイド及びノック棒の後端ノック部がそれぞれ嵌合固定されて一体になり、その一体になった後端ノック部をノック式塗布具の後端部に嵌合した尾栓に嵌合したことにより、解決をはかることができる。
【０００５】
【実施例】
第１図乃至第１０図は、本発明の実施例を示している。第１１図は、従来のノック式塗布具の構造を示している。
保護カバー２の中心内面方向に凸部１６を付けると共に、ノック棒３天面に保護カバー凸部１６が嵌合可能な凹部１７を設ける。保護カバー２の内周面に凸部１８を設け、ガイド４外周面に凹部１９を設け、両者を嵌着後、ガイド４の尾栓挿入側よりノック棒３天面側を挿入、保護カバー凸部１６とノック棒凹部１７を嵌合させる。保護カバー２、ガイド４及びノック棒３の後端ノック部１がそれぞれ嵌合固定されることにより、後工程における後端部５への組立の際、ノック棒３が抜け落ちることなく後端ノック部１を尾栓６に挿入できる。
【０００６】
尾栓凸部７には、バルブセットの中継軸８が係合され、ノック棒３を先軸１３方向に押すことにより、中継軸８を介して先軸１３内に配置されているバルブ弁座１０からバルブ弁棒９を引き離し、内蔵されたインキが先軸１３に供給される。保護カバー２を初めて外したとき、ノック棒３との嵌合が外れ使用状態となる。ここで、尾栓凸部７とノック棒押圧部２４の寸法に隙間２３を設けたことにより、ノック棒３は隙間２３分だけ前進して吐出動作を行うことになる。再度保護カバー２を取り付けた時、ノック棒３は隙間２３分だけ移動しているため、保護カバー凸部１６とノック棒凹部１７は嵌合することはない。また、保護カバー凸部長さ２８を隙間２３長さより短くすることにより、保護カバー２でノック棒３を押してインキを吐出させてしまうことも防ぐことができる。
【０００７】
保護カバー凸部１６の形状はノック棒３に嵌合できる形状であればどのような形でも良いが、挿入しやすく抜けにくくするために誠意工夫の結果、十字形状２５、丸形状２６、星形状２７とすると良いことが見いだせた。
【０００８】
【作用】
本発明の構成は以上の通りであり、ノック部を保護する保護カバーを設置し、保護カバー、ノック棒、ガイド等の後端ノック部が一体的になるように嵌合させ、その後端ノック部をノック式塗布具の後端部に嵌合することにより部品の欠落もなく生産性も向上する。
【０００９】
保護カバーを一回外すと再嵌合ができなくなり、使用品か未使用品かの区別が付きやすい。保護カバーは非使用時に間違ってノック棒を押してしまうこともなく、ケースの中に於いてもノックしてしまうことはない。
【００１０】
【発明の効果】
本発明の構成及び作用は以上の通りであり、後端ノック部を一体的にすることで次工程における取扱を容易にし、不良品の発生を押さえることができる。
保護カバーを取り付けたことで、ノック誤動作によるインクの漏出もなく安心して取り扱うことができる。
【図面の簡単な説明】
【図１】本発明の第１実施例の後端ノック部を挿入する前の断面図
【図２】本発明の後端ノック部の断面図
【図３】本発明の後端ノック部の正面図
【図４】本発明の保護カバーの断面図
【図５】本発明のガイドの断面図
【図６】本発明のノック棒の断面図
【図７】本発明の第２実施例の後端ノック部の断面図（保護カバーを外した）
【図８】本発明の第３実施例の保護カバー十字形状の正面図
【図９】本発明の第３実施例の保護カバー丸形状の正面図
【図１０】本発明の第３実施例の保護カバー星形状の正面図
【図１１】従来の構造を示す後端ノック式塗布具の断面図
【符号の説明】
１  後端ノック部
２  保護カバー
３  ノック棒
４  ガイド
５  後端部
６  尾栓
７  尾栓凸部
８  中継軸
９  弁棒
１０  弁座
１１  バルブスプリング
１２  バネ受け
１３  先軸
１４  キャップ
１５  本体軸
１６  保護カバー内面凸部
１７  ノック棒天面凸部
１８  保護カバー内周凸部
１９  ガイド外面凹部
２０  ガイド内面凸部
２１  尾栓嵌合凹部
２２  尾栓溶着部
２３  隙間
２４  ノック棒押圧部
２５  保護カバー十字形状
２６  保護カバー丸形状
２７  保護カバー星形状
２８  保護カバー凸部長さ
２９  従来例のノック棒
３０  従来例のスプリング
３１  従来例の尾栓
【図１】
0004237852.tif 000002
【図２】
0004237852.tif 000003
【図３】
0004237852.tif 000004
【図４】
0004237852.tif 000005
【図５】
0004237852.tif 000006
【図６】
0004237852.tif 000007
【図７】
0004237852.tif 000008
【図８】
0004237852.tif 000009
【図９】
0004237852.tif 000010
【図１０】
0004237852.tif 000011
【図１１】
0004237852.tif 000012